(57)【要約】【課題】製品に貼付したＱＲコードから専用ウェブページにアクセスして修理を依頼する。【解決手段】販売店サーバ４は、消費者の製品の購入の際にＱＲコードに販売店情報を付加して仲介ウェブサーバ２に送信する販売店情報送信手段を備え、メーカサーバ３は、ＱＲコードに該当する製品情報を仲介ウェブサーバ２に送信する製品情報送信手段を備え、仲介ウェブサーバ２は、メーカサーバ３からの製品情報を受信する製品情報受信手段と、販売店サーバ４からの販売店情報を受信する販売店情報受信手段と、受信した販売店情報のＱＲコードを設定した製品情報の提供依頼情報をメーカサーバ３に送信する提供依頼情報送信手段と、消費者端末１から、取得したＱＲコードにから専用ウェブページにアクセスして製品情報と販売店情報を表示し、個人登録情報と修理依頼情報を設定してメーカサーバ３に送信する修理依頼手段を備えた。【選択図】図１
2008225701.tif 000002
【特許請求の範囲】
【請求項１】
製品に貼付された認証タグを読み込んで、該製品を特定する識別コードを取得するコード読取手段を備えると共に、当該製品メーカが備えるメーカサーバと、消費者が備える消費者端末とに、前記製品の修理に関する処理を仲介する仲介業者が備える仲介サーバを、通信ネットワークを介して接続することによって、前記製品の保証情報を提供する保証書提供システムであって、
前記仲介サーバは、前記識別コードと保証情報とを設定した製品情報と、
前記消費者端末から、前記コード読取手段が取得した前記識別コードに基づいて、該識別コード毎にアクセスを受け付けて、該当する前記製品情報を取得し、該製品情報に当該個人登録情報と修理依頼情報とを設定して前記メーカサーバに送信する修理依頼手段とを備えることを特徴とする保証書提供システム。
【請求項２】
前記仲介サーバは、前記識別コードを設定した当該製品販売店の販売店情報を備え、
前記修理依頼手段は、前記コード読取手段が取得した前記識別コードに基づいて、該当する前記製品情報と前記販売店情報とを取得して当該消費者端末に表示する機能を有することを特徴とする請求項１記載の保証書提供システム。
【請求項３】
製品に貼付された認証タグを読み込んで、該製品を特定する識別コードを取得するコード読取手段を備えると共に、当該製品メーカが備えるメーカサーバと、当該製品販売店が備える販売店サーバと、消費者が備える消費者端末とに、前記製品の修理に関する処理を仲介する仲介業者が備える仲介ウェブサーバを、インターネットを介して接続することによって、前記製品の保証情報を提供する保証書提供システムであって、
前記販売店サーバは、前記製品販売店の販売店情報と、
前記認証タグが貼付された前記製品が、前記製品メーカからの入荷又は消費者からの購入が行われた際に、前記コード読取手段が取得した前記識別コードに前記販売店情報を付加して前記仲介ウェブサーバに送信する販売店情報送信手段とを備え、
前記仲介ウェブサーバは、前記販売店サーバからの前記販売店情報を受信する販売店情報受信手段と、
該販売店情報受信手段に続いて、受信した前記販売店情報の前記識別コードを設定した前記製品情報の提供依頼情報を前記メーカサーバに送信を行う提供依頼情報送信手段とを備え、
前記メーカサーバは、前記仲介サーバからの前記提供依頼情報を受け付けて、当該識別コードに該当する前記製品情報を前記仲介ウェブサーバに送信する製品情報送信手段を備え、
また、前記仲介ウェブサーバは、前記メーカサーバからの前記製品情報を受信する製品情報受信手段と、
前記消費者端末から、前記コード読取手段が取得した前記識別コードに基づいて、専用ウェブページにアクセスを受け付けて、該当する前記製品情報と前記販売店情報とを取得して当該消費者端末に表示し、前記製品情報に当該個人登録情報と修理依頼情報とを設定して前記メーカサーバに送信する修理依頼手段とを備えることを特徴とする保証書提供システム。
【請求項４】
製品に貼付された認証タグを読み込んで、該製品を特定する識別コードを取得するコード読取手段を備えると共に、当該製品メーカが備えるメーカサーバと、消費者が備える消費者端末とに、通信ネットワークを介して接続することによって、前記製品の修理に関する処理を仲介して、前記製品の保証情報を提供する仲介サーバであって、
前記識別コードと保証情報とを設定した製品情報と、
前記消費者端末から、前記コード読取手段が取得した前記識別コードに基づいて、該識別コード毎にアクセスを受け付けて、該当する前記製品情報を取得し、該製品情報に当該個人登録情報と修理依頼情報とを設定して前記メーカサーバに送信する修理依頼手段とを備えていることを特徴とする仲介サーバ。
【請求項５】
前記識別コードを設定した当該製品販売店の販売店情報を備え、
前記修理依頼手段は、前記コード読取手段が取得した前記識別コードに基づいて、該当する前記製品情報と前記販売店情報とを取得して当該消費者端末に表示する機能を有することを特徴とする請求項４記載の仲介サーバ。
【請求項６】
製品に貼付された認証タグを読み込んで、該製品を特定する識別コードを取得するコード読取手段を備えると共に、当該製品メーカが備えるメーカサーバと、当該製品販売店が備える販売店サーバと、消費者が備える消費者端末とに、インターネットを介して接続することによって、前記製品の修理に関する処理を仲介して、前記製品の保証情報を提供する仲介ウェブサーバであって、
前記販売店サーバからの販売店情報を受信する販売店情報受信手段と、
該販売店情報受信手段に続いて、受信した前記販売店情報の前記識別コードを設定した前記製品情報の提供依頼情報を前記メーカサーバに送信を行う提供依頼情報送信手段と、
前記メーカサーバからの製品情報を受信する製品情報受信手段と、
前記消費者端末から、前記コード読取手段が取得した前記識別コードに基づいて、専用ウェブページにアクセスを受け付けて、該当する前記製品情報と前記販売店情報とを取得して当該消費者端末に表示し、前記製品情報に当該個人登録情報と修理依頼情報とを設定して前記メーカサーバに送信する修理依頼手段とを備えることを特徴とする仲介ウェブサーバ。
【請求項７】
製品に貼付された認証タグを読み込んで、該製品を特定する識別コードを取得するコード読取ステップを有すると共に、当該製品メーカが備えるメーカサーバと、消費者が備える消費者端末とに、前記製品の修理に関する処理を仲介する仲介業者が備える仲介サーバを、通信ネットワークを介して接続される保証書提供システムに用いられ、前記製品の保証情報を提供する保証書提供方法であって、
予め、前記識別コードと保証情報とを設定した製品情報を前記仲介サーバに登録する製品情報登録ステップと、
前記消費者端末から、前記コード読取手段が取得した前記識別コードに基づいて、該識別コード毎にアクセスを受け付けて、該当する前記製品情報を取得し、該製品情報に当該個人登録情報と修理依頼情報とを設定して、前記仲介サーバから前記メーカサーバに送信する修理依頼ステップとを有することを特徴とする保証書提供方法。
【請求項８】
予め、前記識別コードを設定した当該製品販売店の販売店情報を前記仲介サーバに登録する販売店情報登録ステップを有し、
前記修理依頼ステップは、前記コード読取手段が取得した前記識別コードに基づいて、該当する前記製品情報と前記販売店情報とを取得して当該消費者端末に表示する機能を有することを特徴とする請求項７載の保証書提供方法。
【請求項９】
製品に貼付された認証タグを読み込んで、該製品を特定する識別コードを取得するコード読取ステップを有すると共に、当該製品メーカが備えるメーカサーバと、当該製品販売店が備える販売店サーバと、消費者が備える消費者端末とに、前記製品の修理に関する処理を仲介する仲介業者が備える仲介ウェブサーバを、インターネットを介して接続する保証書提供システムに用いられ、前記製品の保証情報を提供する保証書提供方法であって、
予め、前記製品メーカの製品情報を前記メーカサーバに登録する製品情報登録ステップと、
予め、前記製品販売店の販売店情報を前記販売店サーバに登録する販売店情報登録ステップと、
前記認証タグが貼付された前記製品が、前記製品メーカからの入荷又は消費者からの購入が行われた際に、前記コード読取手段が取得した前記識別コードに前記販売店情報を付加して前記仲介ウェブサーバに送信する販売店情報送信ステップと、
前記販売店サーバからの前記販売店情報を受信する販売店情報受信ステップと、
該販売店情報受信ステップに続いて、受信した前記販売店情報の前記識別コードを設定した前記製品情報の提供依頼情報を前記メーカサーバに送信を行う提供依頼情報送信ステップと、
前記仲介ウェブサーバからの前記提供依頼情報を受け付けて、当該識別コードに該当する前記製品情報を前記仲介ウェブサーバに送信する製品情報送信ステップと、
前記メーカサーバからの前記製品情報を受信する製品情報受信ステップと、
前記消費者端末から、前記コード読取手段が取得した前記識別コードに基づいて、専用ウェブページにアクセスを受け付けて、該当する前記製品情報と前記販売店情報とを取得して当該消費者端末に表示し、前記製品情報に当該個人登録情報と修理依頼情報とを設定して前記メーカサーバに送信する修理依頼ステップとを有することを特徴とする保証書提供方法。
【請求項１０】
コンピュータに請求項７乃至９の何れか１に記載の保証書提供方法を実行させることを特徴とする保証書提供方法プログラム。
【発明の詳細な説明】
【技術分野】
【０００１】
本発明は、保証書提供システム及び該システムに用いられる仲介サーバ、保証書提供方法、保証書提供プログラムに関し、詳しくは、製品の識別コードを特定する認証タグを前記製品に貼付し、当該製品メーカが備えるメーカサーバと、消費者が備える消費者端末とに、前記製品の修理に関する処理を仲介する仲介業者が備える仲介サーバを、通信ネットワークを介して接続することによって、前記製品の保証情報を提供することを内容とする。
【背景技術】
【０００２】
家電製品等の商品を購入した際には、一般的にメーカの証書が添付されているが、複数種類の家電製品を所有している消費者側では商品の購入後に保証書を紛失することも発生している。また、販売店側では保証書に販売店情報や購入日等の情報を記録する必要があり煩雑である。
【０００３】
この種の従来技術としては、特許文献１乃至３等に記載のものが開示されている。まず、特許文献１に記載の「製品保証方法、データ管理方法および、データ管理装置およびシステム、情報記録媒体」は、製品保証のホームページで、メーカ端末装置から出荷時に保証データを登録し、店舗端末装置から入荷時に店舗データを設定し、販売時に販売年月日を設定し、ユーザ端末装置から保証データを閲覧して個人データ（氏名、住所）を設定し、保守端末装置から保証データを検索して保証内容を確認することによって、保証書を必要としない構成になっている。
【０００４】
次に、特許文献２に記載の「製品、製品のパッケージ、製品の保証書作成登録方法および保証書作成登録システム」は、製品に取り付けられたバーコード又はＩＣタグにアクセス情報を記憶して、携帯端末から保証書作成・登録ホームページにアクセスし、製品の保証書を作成して登録することで、保証書の紛失や保管場所忘れに対して、顧客が任意のタイミングで保証書を取り出すことができる構成になっている。
【０００５】
次に、特許文献３に記載の「商品の保証兼ユーザ登録システムおよび商品の保証兼ユーザ登録管理装置ならびに商品の保証兼ユーザ登録方法」は、商品を購入したユーザは、クライアント端末からインターネットを介してユーザ登録用サイトへ接続し、ユーザ登録を行うことで、サーバから登録ユーザに登録者ＩＤ、パスワードをメールで送信し、同一製品に対して複数ユーザへの共通保証書、又は、ユーザ毎に無料修理期限日等が記載された専用保証書とすることができる構成になっている。
【特許文献１】特開２００２−０４１６０８号公報
【特許文献２】特開２００４−０３０１４７号公報
【特許文献３】特開２００３−２４２２７５号公報
【発明の開示】
【発明が解決しようとする課題】
【０００６】
しかしながら、上記特許文献１乃至３にも不都合な点があり、特許文献１においては、ユーザ端末装置から保証データを閲覧する際に、パスワードが設定されている個人データ以外は閲覧可能であり、製品を購入してからパスワードを取得した場合は、個人データも更新可能である。いわゆる、購入した製品とその保証データとの関連付けが行われていないため、保証データを任意に選択して、その個人データが自由に設定され、販売されていない製品の保証データが不正に利用される懸念も払拭することができないといった問題があった。
【０００７】
また、特許文献２においては、店舗が保証期間を延長して製品を販売した場合、ＩＣタグ及び保証書データベースの何れにも書き込み処理が行われていないため、顧客及びメーカにとって、保証延長期間における保守等のアフタサービスの処理が不明であり、顧客からの問い合わせ窓口が、メーカなのか店舗なのかも不明であり、窓口が一本化されていないといった問題も発生している。
【０００８】
また、特許文献３においては、製品購入後のユーザ登録を前提としているシステムのため、消費者がユーザ登録を行わない限り、従来の紙による保証書に記載されているような製品情報や保証内容、購入日等の情報を参照することができない。これは、メーカが消費者からのユーザ登録をもって販売店に購入日を問い合わせる必要があり、ユーザ登録による消費者の情報を含めて製品の保証書としているためである。
【０００９】
本発明は、上述した事情に鑑みてなされたものであり、上述のような問題を解決することができる保証書提供システム及び該システムに用いられる仲介サーバ、保証書提供方法、保証書提供プログラムを提供することを目的とする。
【課題を解決するための手段】
【００１０】
上記課題を解決するために、請求項１記載の発明は、製品に貼付された認証タグを読み込んで、該製品を特定する識別コードを取得するコード読取手段を備えると共に、当該製品メーカが備えるメーカサーバと、消費者が備える消費者端末とに、前記製品の修理に関する処理を仲介する仲介業者が備える仲介サーバを、通信ネットワークを介して接続することによって、前記製品の保証情報を提供する保証書提供システムに係り、前記仲介サーバは、前記識別コードと保証情報とを設定した製品情報と、前記消費者端末から、前記コード読取手段が取得した前記識別コードに基づいて、該識別コード毎にアクセスを受け付けて、該当する前記製品情報を取得し、該製品情報に当該個人登録情報と修理依頼情報とを設定して前記メーカサーバに送信する修理依頼手段とを備えることを特徴としている。
【００１１】
また、請求項２記載の発明は、請求項１記載の保証書提供システムに係り、前記仲介サーバは、前記識別コードを設定した当該製品販売店の販売店情報を備え、前記修理依頼手段は、前記コード読取手段が取得した前記識別コードに基づいて、該当する前記製品情報と前記販売店情報とを取得して当該消費者端末に表示する機能を有することを特徴としている。
【００１２】
また、請求項３記載の発明は、製品に貼付された認証タグを読み込んで、該製品を特定する識別コードを取得するコード読取手段を備えると共に、当該製品メーカが備えるメーカサーバと、当該製品販売店が備える販売店サーバと、消費者が備える消費者端末とに、前記製品の修理に関する処理を仲介する仲介業者が備える仲介ウェブサーバを、インターネットを介して接続することによって、前記製品の保証情報を提供する保証書提供システムに係り、前記販売店サーバは、前記製品販売店の販売店情報と、前記認証タグが貼付された前記製品が、前記製品メーカからの入荷又は消費者からの購入が行われた際に、前記コード読取手段が取得した前記識別コードに前記販売店情報を付加して前記仲介ウェブサーバに送信する販売店情報送信手段とを備え、前記仲介ウェブサーバは、前記販売店サーバからの前記販売店情報を受信する販売店情報受信手段と、該販売店情報受信手段に続いて、受信した前記販売店情報の前記識別コードを設定した前記製品情報の提供依頼情報を前記メーカサーバに送信を行う提供依頼情報送信手段とを備え、前記メーカサーバは、前記仲介サーバからの前記提供依頼情報を受け付けて、当該識別コードに該当する前記製品情報を前記仲介ウェブサーバに送信する製品情報送信手段を備え、また、前記仲介ウェブサーバは、前記メーカサーバからの前記製品情報を受信する製品情報受信手段と、前記消費者端末から、前記コード読取手段が取得した前記識別コードに基づいて、専用ウェブページにアクセスを受け付けて、該当する前記製品情報と前記販売店情報とを取得して当該消費者端末に表示し、前記製品情報に当該個人登録情報と修理依頼情報とを設定して前記メーカサーバに送信する修理依頼手段とを備えることを特徴としている。
【００１３】
また、請求項４記載の発明は、品に貼付された認証タグを読み込んで、該製品を特定する識別コードを取得するコード読取手段を備えると共に、当該製品メーカが備えるメーカサーバと、消費者が備える消費者端末とに、通信ネットワークを介して接続することによって、前記製品の修理に関する処理を仲介して、前記製品の保証情報を提供する仲介サーバに係り、前記識別コードと保証情報とを設定した製品情報と、前記消費者端末から、前記コード読取手段が取得した前記識別コードに基づいて、該識別コード毎にアクセスを受け付けて、該当する前記製品情報を取得し、該製品情報に当該個人登録情報と修理依頼情報とを設定して前記メーカサーバに送信する修理依頼手段とを備えていることを特徴としている。
【００１４】
また、請求項５記載の発明は、請求項４記載の仲介サーバに係り、前記識別コードを設定した当該製品販売店の販売店情報を備え、前記修理依頼手段は、前記コード読取手段が取得した前記識別コードに基づいて、該当する前記製品情報と前記販売店情報とを取得して当該消費者端末に表示する機能を有することを特徴としている。
【００１５】
また、請求項６記載の発明は、製品に貼付された認証タグを読み込んで、該製品を特定する識別コードを取得するコード読取手段を備えると共に、当該製品メーカが備えるメーカサーバと、当該製品販売店が備える販売店サーバと、消費者が備える消費者端末とに、インターネットを介して接続することによって、前記製品の修理に関する処理を仲介して、前記製品の保証情報を提供する仲介ウェブサーバに係り、前記販売店サーバからの販売店情報を受信する販売店情報受信手段と、該販売店情報受信手段に続いて、受信した前記販売店情報の前記識別コードを設定した前記製品情報の提供依頼情報を前記メーカサーバに送信を行う提供依頼情報送信手段と、前記メーカサーバからの製品情報を受信する製品情報受信手段と、前記消費者端末から、前記コード読取手段が取得した前記識別コードに基づいて、専用ウェブページにアクセスを受け付けて、該当する前記製品情報と前記販売店情報とを取得して当該消費者端末に表示し、前記製品情報に当該個人登録情報と修理依頼情報とを設定して前記メーカサーバに送信する修理依頼手段とを備えることを特徴としている。
【００１６】
また、請求項７記載の発明は、製品に貼付された認証タグを読み込んで、該製品を特定する識別コードを取得するコード読取ステップを有すると共に、当該製品メーカが備えるメーカサーバと、消費者が備える消費者端末とに、前記製品の修理に関する処理を仲介する仲介業者が備える仲介サーバを、通信ネットワークを介して接続される保証書提供システムに用いられ、前記製品の保証情報を提供する保証書提供方法に係り、予め、前記識別コードと保証情報とを設定した製品情報を前記仲介サーバに登録する製品情報登録ステップと、前記消費者端末から、前記コード読取手段が取得した前記識別コードに基づいて、該識別コード毎にアクセスを受け付けて、該当する前記製品情報を取得し、該製品情報に当該個人登録情報と修理依頼情報とを設定して、前記仲介サーバから前記メーカサーバに送信する修理依頼ステップとを有することを特徴としている。
【００１７】
また、請求項８記載の発明は、請求項７記載の保証書提供方法に係り、予め、前記識別コードを設定した当該製品販売店の販売店情報を前記仲介サーバに登録する販売店情報登録ステップを有し、前記修理依頼ステップは、前記コード読取手段が取得した前記識別コードに基づいて、該当する前記製品情報と前記販売店情報とを取得して当該消費者端末に表示する機能を有することを特徴としている。
【００１８】
また、請求項９記載の発明は、製品に貼付された認証タグを読み込んで、該製品を特定する識別コードを取得するコード読取ステップを有すると共に、当該製品メーカが備えるメーカサーバと、当該製品販売店が備える販売店サーバと、消費者が備える消費者端末とに、前記製品の修理に関する処理を仲介する仲介業者が備える仲介ウェブサーバを、インターネットを介して接続する保証書提供システムに用いられ、前記製品の保証情報を提供する保証書提供方法に係り、予め、前記製品メーカの製品情報を前記メーカサーバに登録する製品情報登録ステップと、予め、前記製品販売店の販売店情報を前記販売店サーバに登録する販売店情報登録ステップと、前記認証タグが貼付された前記製品が、前記製品メーカからの入荷又は消費者からの購入が行われた際に、前記コード読取手段が取得した前記識別コードに前記販売店情報を付加して前記仲介ウェブサーバに送信する販売店情報送信ステップと、前記販売店サーバからの前記販売店情報を受信する販売店情報受信ステップと、該販売店情報受信ステップに続いて、受信した前記販売店情報の前記識別コードを設定した前記製品情報の提供依頼情報を前記メーカサーバに送信を行う提供依頼情報送信ステップと、前記仲介ウェブサーバからの前記提供依頼情報を受け付けて、当該識別コードに該当する前記製品情報を前記仲介ウェブサーバに送信する製品情報送信ステップと、前記メーカサーバからの前記製品情報を受信する製品情報受信ステップと、前記消費者端末から、前記コード読取手段が取得した前記識別コードに基づいて、専用ウェブページにアクセスを受け付けて、該当する前記製品情報と前記販売店情報とを取得して当該消費者端末に表示し、前記製品情報に当該個人登録情報と修理依頼情報とを設定して前記メーカサーバに送信する修理依頼ステップとを有することを特徴としている。
【００１９】
また、請求項１０記載の発明は、保証書提供方法プログラムに係り、コンピュータに請求項７乃至９の何れか１に記載の保証書提供方法を実行させることを特徴としている。
【発明の効果】
【００２０】
本発明によれば、以下の（１）〜（４）の効果を得ることができる。
（１）従来のような紙による保証書を消費者が管理することがないため、消費者が製品の購入後に保証書を紛失することが無くなり、販売店にとっても製品の販売時に保証書への販売店や購入日等の記載をする必要が無くなる。
（２）貼付されている識別コードを読み取り、その識別コード毎にアクセスするだけで、製品情報や保証情報を参照して修理を依頼することができるようになる（修理依頼手段）。
（３）製品情報、保証情報、販売店情報等の情報をメーカや販売店ではなく、仲介業者が管理することで、販売店独自の延長保証等のサービスが行われても、問い合わせの窓口を仲介業者一つに統一することができる（修理依頼手段）。
（４）仲介業者が介入することで、販売店は異なるメーカの製品であっても、仲介業者のみに識別コードと販売店とを関連付けた情報を、メーカーからの入荷又は消費者からの購入が行われた際に、自動的に送信することもでき（販売店情報送信手段）、販売店側の運用も楽である。
【発明を実施するための最良の形態】
【００２１】
以下に、図面を参照して、本発明の実施の形態について説明する。
実施の形態
本発明である保証書提供システムは、製品の修理を依頼する消費者側の消費者端末と、消費者端末に保証書情報を提供する仲介業者側の仲介ウェブサーバ（仲介サーバ）と、仲介ウェブサーバに製品情報を提供するメーカ側のメーカサーバと、販売店情報を提供する販売店側の販売店サーバとから構成され、家電製品等の製品に添付される保証書の代わりに、製品本体に製品を一意に識別できるＱＲコード（認証タグ）を貼付し、製品を購入した消費者はそのＱＲコードのコード内容であるＵＲＬ(Uniform Resource Locator)（識別コード）を読み取って、製品専用のウェブページにアクセスし、専用ウェブページに表示された製品情報、保証情報、販売店情報等の情報を参照して、メーカ側に修理を依頼することができることを内容とするものである。
図１は本発明の実施の形態である保証書情報管理システムの概要構成図であり、インターネット５を介して相互に接続される消費者の消費者端末１と、仲介ウェブサーバ２と、メーカサーバ３と、販売店サーバ４とから構成されている。以下、各構成について、消費者端末１、仲介ウェブサーバ２、メーカサーバ３、販売店サーバ４の順に説明する。
【００２２】
まず、図２の消費者端末１の構成ブロック図に示すように、消費者端末１は、一般的なパーソナルコンピュータであって、所定の制御プログラムに従って構成各部を制御する制御部１１（ＣＰＵ）、所定のプロトコルに従ってデータ通信を行うための通信部１２、ハードディスク（ＨＤ）やＲＡＭ等のメモリである記憶部１３、その他、入力装置や出力装置等、一般的なコンピュータが有する構成を備えており、また、製品に貼付されＵＲＬが設定されているＱＲ(Quick Response)コードを読み取るためのコード読取装置１４（コード読取手段）として携帯電話機を備えている。
記憶部１３には、仲介ウェブサーバ２が開設したウェブサイトのホームページを閲覧するためのプログラムとしてのブラウザ機能を有するプログラムや、消費者の個人登録情報１３ａ等のデータが記憶されており、この個人登録情報には、住所、氏名、電話番号等の情報が設定されている。
【００２３】
次に、図３の仲介ウェブサーバの構成ブロック図に示すように、仲介ウェブサーバ２は、ウェブサイトを開設したサーバコンピュータであって、所定の制御プログラムに従って構成各部を制御する制御部２１（ＣＰＵ）、所定のプロトコルに従ってデータ通信を行うための通信部２２、ハードディスク（ＨＤ）やＲＡＭ等のメモリである記憶部２３、その他、入力装置や出力装置等、一般的なコンピュータが有する構成を備えており、また、消費者からの修理依頼のための製品が持ち込まれた際に、製品に貼付されたＱＲコード（ＵＲＬ）を読み取るためのコード読取装置２４をして携帯電話機を備えている。
記憶部２３には、ウェブサイトで保証書情報を提供するための各種処理プログラムや各種データが記憶されている。
【００２４】
各種処理プログラムとしては、ＵＲＬ払出情報送信プログラム２３ａ、販売店情報受信プログラム２３ｂ、提供依頼情報送信プログラム２３ｃ、製品情報受信プログラム２３ｄ、修理依頼プログラム２３ｅ等のプログラムが記憶されている。
ＵＲＬ払出情報送信プログラム２３ａは、ウェブサイトを開設するためのＵＲＬを乱数を用いて作成し、作成したＵＲＬが設定されたＵＲＬ払出情報を生成してメーカサーバ３に送信するプログラムである。ＵＲＬ払出情報には、ＵＲＬ、品名、型番等の情報が設定されている。
販売店情報受信プログラム２３ｂは、販売店サーバ４からの消費者が購入した製品に貼付された認証タグのＱＲコードと関連付けられた販売店情報を受信するプログラムである。
提供依頼情報送信プログラム２３ｃは、販売店サーバ４から受信した販売店情報のＱＲコードを提供依頼情報に設定し、設定したＱＲコードの製品情報を提供依頼するための提供依頼情報を生成して、メーカサーバ３に送信を行うプログラムである。
製品情報受信プログラム２３ｄは、提供依頼情報に対するメーカサーバ３からの製品情報を受信するするプログラムである。
修理依頼プログラム２３ｅは、消費者が製品の修理を依頼する際に、コード読取装置１２（携帯電話機のカメラ）から、製品に貼付された認証タグのＱＲコードを読み取って取得し、取得したＱＲコードを消費者端末１に送信し、消費者端末１が受信したＱＲコードに基づいて、消費者端末１からの専用ウェブページへのアクセスを受け付けて、ＱＲコードに該当する製品情報と販売店情報とを取得して消費者端末１に表示し、表示された製品情報に消費者端末の個人登録情報を設定して、設定した製品情報を修理依頼情報としてメーカサーバ３に送信するプログラムである。
各種データとして、製品情報２３ｆや販売店情報２３ｇ等の情報がデータベース化されて記憶されている。
製品情報２３ｆには、ＱＲコード（ＵＲＬが設定されている）、品名、型番、製造番号、製造年月日等の製品情報と、会名、住所、保証期間、保証内容（保証規約）等の情報が設定されている。
販売店情報２３ｇには、ＱＲコード（ＵＲＬが設定されている）、販売店名、販売店住所、購入日、販売店による延長保証期間等の情報が設定されている。
【００２５】
次に、図４のメーカサーバの構成ブロック図に示すように、メーカサーバ３は、生産管理を主体としたメーカの基幹業務システムが稼動しているサーバコンピュータであって、仲介ウェブサーバ２と同様に、所定の制御プログラムに従って構成各部を制御する制御部３１（ＣＰＵ）、所定のプロトコルに従ってデータ通信を行うための通信部３２、ハードディスク（ＨＤ）やＲＡＭ等のメモリである記憶部３３、その他、入力装置や出力装置等、一般的なコンピュータが有する構成を備えており、また、消費者からの製品の修理依頼の際に、製品に貼付されたＱＲコード（ＵＲＬ）を読み取るためのコード読取装置３４をして携帯電話機を備えている。
また、ＵＲＬからＱＲコードにコード変換するためのコード変換装置３５を有している。
記憶部３３には、各種処理プログラムや各種データが記憶されている。
各種処理プログラムとして、ＱＲコード付加プログラム３１ａ、製品情報送信プログラム３３ａ等のプログラムが記憶されている。
ＱＲコード付加プログラム３３ａは、仲介ウェブサーバ２からのＵＲＬ払出情報を受け付けて、ＵＲＬをＱＲコードにコード変換装置３５を介してコード変換すると共に、コード変換したＱＲコードを任意の製品情報に設定して関連付けるプログラムである。また、製品に貼付するためのＱＲコードの認証タグを印刷する機能も有する。
各種データとしては、仲介ウェブサーバ２と同様の製品情報３３ｂ等の情報がデータベース化されて記憶されている。
製品情報送信プログラム３３ａは、仲介ウェブサーバ２からの提供依頼情報を受け付けて、ＱＲコードに該当する製品情報を仲介ウェブサーバ２に送信するプログラムである。
【００２６】
販売店サーバ４は、販売管理を主体とした販売店の基幹業務システムが稼動しているサーバコンピュータであって、仲介ウェブサーバ２と同様に、所定の制御プログラムに従って構成各部を制御する制御部（ＣＰＵ）、所定のプロトコルに従ってデータ通信を行うための通信部、ハードディスク（ＨＤ）やＲＡＭ等のメモリである記憶部４１、その他、入力装置や出力装置等、一般的なコンピュータが有する構成を備えており、また、消費者が製品を購入した際に、製品に貼付されたＱＲコード（ＵＲＬ）を読み取るためのコード読取装置４２として携帯電話機を備えている。
記憶部４１には、各種処理プログラムや各種データが記憶されている。
各種処理プログラムは、販売店付加プログラム４１ａ等のプログラムが記憶されている。
販売店付加プログラム４１ａは、認証タグ（ＱＲコード）が貼付された製品が、消費者からの購入が行われた際に、コード読取装置４２（携帯電話機のカメラ）から認証タグに貼付されたＱＲコード読み取って取得し、取得したＱＲコードに販売店情報を付加して仲介ウェブサーバ２に送信するプログラムである。
各種データとしては、仲介ウェブサーバと同様の販売店情報等の情報がデータベース化されて記憶されている。
【００２７】
次に、製造から販売処理の動作ついて、図６のフローチャートを参照して説明する。
仲介ウェブサーバ２は、ウェブサイトを開設するためのＵＲＬを乱数を用いて作成し、作成したＵＲＬが設定されたＵＲＬ払出情報を生成してメーカサーバ３に送信する（ステップＡ１）。
メーカサーバ３は、仲介ウェブサーバ２からのＵＲＬ払出情報を受け付けて（ステップＡ２）、ＵＲＬをＱＲコードにコード変換装置３４を介してコード変換すると共に、コード変換したＱＲコードを任意の製品情報に設定して関連付ける（ステップＡ３）。また、印刷したＱＲコードの認証タグを製品の製造時に製品本体に貼付する。
販売店サーバ４は、認証タグ（ＱＲコード）が貼付された製品が、消費者からの購入が行われた際に、コード読取装置４４（携帯電話機のカメラ）から認証タグに貼付されたＱＲコード読み取って取得し、取得したＱＲコードに販売店情報を付加して（ステップＡ４）仲介ウェブサーバ２に送信する（ステップＡ５：販売店情報送信手段）。
仲介ウェブサーバ２は、販売店サーバ４からの販売店情報を受信する（ステップＡ６：販売店情報受信手段）。
仲介ウェブサーバ２は、ステップＡ５で販売店サーバ４から受信した販売店情報について、そのＱＲコードを設定した製品情報の提供依頼情報をメーカサーバ３に送信する（ステップＡ７：提供依頼情報送信手段）。
メーカサーバ３は、仲介ウェブサーバ２からの提供依頼情報を受け付けて、ＱＲコードに該当する製品情報を仲介ウェブサーバ２に送信する（ステップＡ８：製品情報送信手段）。
仲介ウェブサーバ２は、提供依頼情報に対するメーカサーバ３からの製品情報を受信する（ステップＡ９：製品情報受信手段）。
【００２８】
次に、修理依頼処理の動作ついて、図７のフローチャートを参照して説明する。
消費者が製品の修理を依頼する際に、コード読取装置１４（携帯電話機のカメラ）から、製品に貼付された認証タグのＱＲコードを読み取って取得し、取得したＱＲコードを消費者端末１に送信し、消費者端末１が受信したＱＲコードに基づいて、仲介ウェブサーバ２は、消費者端末１からの専用ウェブページへのアクセスを受け付けて（ステップＡ１０）、該当する製品情報と販売店情報とを取得して消費者端末１に表示し（ステップＡ１１）、表示された製品情報に個人登録情報と修理依頼情報とを設定してメーカサーバ３に送信する（ステップＡ１２：修理依頼手段）。
メーカサーバ３は、仲介ウェブサーバ２からの個人登録情報を設定した修理依頼情報を受信する（ステップＡ１３）。
【００２９】
実施の形態によれば、以下の（１）〜（４）の効果を得ることができる。
（１）従来のような紙による保証書を消費者が管理することがないため、消費者が製品の購入後に保証書を紛失することが無くなり、販売店にとっても製品の販売時に保証書への販売店や購入日等の記載をする必要が無くなる。
（２）貼付されているＱＲコードを読み取り、そのウェブサイトにアクセスするだけで、製品情報や保証情報を参照して修理を依頼することができるようになる（修理依頼手段）。
（３）製品情報、保証情報、販売店情報等の情報をメーカや販売店ではなく、仲介業者が管理することで、販売店独自の延長保証等のサービスが行われても、ウェブサイトにアクセスした際に、メーカの保証期間以外に販売店による延長保証期間も確認することができる（修理依頼手段）。
（４）仲介業者が介入することで、販売店は異なるメーカの製品であっても、仲介業者のみにＱＲコードと販売店とを関連付けた情報を、消費者からの購入が行われた際に、自動的に送信することもでき（販売店情報送信手段）、販売店側の運用も楽である。
【００３０】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【００３１】
例えば、上述の実施の形態では、製品に貼付した認証タグのスキャンに携帯電話機を利用した例を示したが、メーカ側や販売店側では、ＱＲコードスキャン用の携帯無線端末を使用してもよい。
また、メーカから仲介ウェブサーバにＱＲコードが関連付けられた製造情報を送信するタイミングは、消費者が製品を購入した後に仲介ウェブサーバからメーカサーバに提供依頼する例を示したが、製品に認証タグを貼付した直後、又は、販売店への出荷の際にメーカサーバから仲介ウェブサーバに送信してもよい。また、販売店サーバから仲介ウェブサーバにＱＲコードが関連付けられた販売店情報を送信するタイミングは、消費者が製品を購入した際に送信する例を示したが、メーカからの製品が販売店に入荷した際に送信してもよい。
また、上述の実施の形態は、その目的及び構成などに特に矛盾や問題がない限り、互いの技術を流用することができる。
【図面の簡単な説明】
【００３２】
【図１】本発明の実施の形態における保証書提供システムの概要構成図である。
【図２】同システムの消費者端末の構成を示すブロック図である。
【図３】同システムの仲介ウェブサーバの構成を示すブロック図である。
【図４】同システムのメーカサーバの構成を示すブロック図である。
【図５】同システムの販売店サーバの構成を示すブロック図である。
【図６】同システムの製造から販売処理の動作を示すフローチャートである。
【図７】同システムの修理依頼処理の動作を示すフローチャートである。
【符号の説明】
【００３３】
１  消費者端末
１１  制御部
１２  通信部
１３  記憶部
１３ａ  個人登録情報
１４  コード読取装置
２  仲介ウェブサーバ
２１  制御部
２２  通信部
２３  記憶部
２３ａ  ＵＲＬ払出情報送信プログラム
２３ｂ  販売店情報受信プログラム
２３ｃ  提供依頼情報送信プログラム
２３ｄ  製品情報受信プログラム
２３ｅ  修理依頼プログラム
２３ｆ  製品情報
２３ｇ  販売店情報
２４  コード読取装置
３  メーカサーバ
３１  制御部
３２  通信部
３３  記憶部
３３ａ  ＱＲコード付加プログラム
３４  コード変換装置
３５  コード変換装置
４  販売店サーバ
４１  制御部
４２  通信部
４３  記憶部
４３ａ  販売店付加プログラム
４３ｂ  販売店情報
４４  コード読取装置
５  インターネット
【図１】
2008225701.tif 000003
【図２】
2008225701.tif 000004
【図３】
2008225701.tif 000005
【図４】
2008225701.tif 000006
【図５】
2008225701.tif 000007
【図６】
2008225701.tif 000008
【図７】
2008225701.tif 000009